(57)【要約】【課題】ユーザが所望する番組をより確実に保存するとともに、ハードディスクの使用効率を確実に改善することができるサーバ型放送受信装置を提供する。【解決手段】サーバ型受信装置１００のＣＰＵ６に、放送データをＨＤＤ３に記憶させる放送データ記憶プログラム８Ｈと、リスト記憶手段（記憶部８，リストデータファイル８Ｂ）に記憶された紹介用放送データと番組名とを対応付けたリストを表示部９に表示させるリスト表示制御プログラム８Ｅと、入力部５により、リストにおいて紹介用放送データが指定された場合に、当該紹介用放送データを出力装置２００に再生させる紹介用放送データ再生プログラム８Ｆと、を備え、ＣＰＵ６は、放送データ記憶プログラム８Ｈを実行することにより、アンテナ１により受信された放送データのうち、入力部５により選択された番組の放送データをＨＤＤ３に記憶させるように構成した。【選択図】図１
2007214668.tif 000002
【特許請求の範囲】
【請求項１】
サーバ型の放送データを受信する放送データ受信手段と、
前記放送データ受信手段により受信された放送データを放送データ記憶手段に記憶させる放送データ記憶制御手段と、
前記放送データ受信手段により受信された放送データのうち予め設定された部分のデータを用いて番組の内容を紹介する紹介用放送データを作成する作成手段と、
番組の予定表である番組情報を受信する番組情報受信手段と、
前記番組情報受信手段により受信された番組の予定表である番組情報の番組名と、前記作成手段により作成された紹介用放送データとを対応付けたリストを作成するリスト作成手段と、
前記紹介用放送データと番組名とを対応付けたリストを記憶するリスト記憶手段と、
前記リスト記憶手段により記憶されたリストを表示装置に表示させるリスト表示制御手段と、
前記表示装置に表示されたリストにおいて、所望する番組の紹介用放送データを指定するための指定手段と、
前記指定手段により前記リストにおいて前記紹介用放送データが指定された場合に、当該紹介用放送データを再生装置に再生させる紹介用放送データ再生制御手段と、
前記リストにおいて、前記放送データ記憶手段に記憶させる番組を選択するための選択手段と、
前記リストに挙げる番組のジャンルを指定するためのジャンル指定手段と、
を備え、
前記放送データ記憶制御手段は、
前記放送データ受信手段により受信された放送データのうち、前記選択手段により選択された番組の放送データを前記放送データ記憶手段に記憶させ、
前記リスト作成手段は、
前記ジャンル指定手段によりジャンルが指定された場合には、指定されたジャンルの番組名と紹介用放送データとを対応付けたリストを作成することを特徴とするサーバ型放送受信装置。
【請求項２】
サーバ型の放送データを受信する放送データ受信手段と、
前記放送データ受信手段により受信された放送データを放送データ記憶手段に記憶させる放送データ記憶制御手段と、
番組の内容を紹介する紹介用放送データと番組名とを対応付けたリストを記憶するリスト記憶手段と、
前記リスト記憶手段により記憶されたリストを表示装置に表示させるリスト表示制御手段と、
前記表示装置に表示されたリストにおいて、所望する番組の紹介用放送データを指定するための指定手段と、
前記指定手段により前記リストにおいて前記紹介用放送データが指定された場合に、当該紹介用放送データを再生装置に再生させる紹介用放送データ再生制御手段と、
前記リストにおいて、前記放送データ記憶手段に記憶させる番組を選択するための選択手段と、
を備え、
前記放送データ記憶制御手段は、
前記放送データ受信手段により受信された放送データのうち、前記選択手段により選択された番組の放送データを前記放送データ記憶手段に記憶させることを特徴とするサーバ型放送受信装置。
【請求項３】
前記放送データ受信手段により受信された放送データのうち予め設定された部分のデータを用いて紹介用放送データを作成する作成手段を備えることを特徴とする請求項２に記載のサーバ型放送受信装置。
【請求項４】
番組の予定表である番組情報を受信する番組情報受信手段と、
前記番組情報受信手段により受信された番組の予定表である番組情報の番組名と、前記作成手段により作成された紹介用放送データとを対応付けたリストを作成するリスト作成手段と、
を備えることを特徴とする請求項３に記載のサーバ型放送受信装置。
【発明の詳細な説明】
【技術分野】
【０００１】
本発明は、サーバ型放送受信装置に関する。
【背景技術】
【０００２】
従来、受信した放送データをハードディスク等に順次記憶し、ユーザが当該ハードディスクに記憶した放送データ（番組）を好きな時に視聴できるようにしたサーバ型放送受信装置が知られている（例えば、特許文献１〜４）。例えば、ユーザの所望するジャンルや嗜好に関する情報を入力すると、当該情報に適合する番組のリストを表示部に表示させ、当該リストから視聴する番組を選択することができるサーバ型放送受信装置が知られている（例えば、特許文献１）。また、ハードディスクに番組を記憶するとともに、当該番組のシーン情報と当該シーン情報を検索するための検索情報とを記憶し、ユーザから入力された検索情報に適合するシーン情報を表示部に表示させるサーバ型放送受信装置も知られている（例えば、特許文献２）。また、当日から蓄積可能な日数分のＥＰＧデータ等の番組情報を記憶するサーバ型放送受信装置も知られている（例えば、特許文献３）。また、リアルタイムに再生可能なトランスポートストリーム形式のまま伝送される放送データと、タイムスタンプ等の時刻情報を付与してリアルタイム再生可能な状態にしてカルーセル方式で伝送される放送データとの両方を共通に処理できるサーバ型放送受信装置も知られている（例えば、特許文献４）。
ところで、上述のように、受信した放送データを順次ハードディスクに記憶すると、ハードディスクには、ユーザが視聴を希望しない番組も多く記憶されることとなり、ハードディスクの使用効率が良くない。そこで、特許文献１に記載されているユーザの所望するジャンルや嗜好に関する情報を用いて、ハードディスクに記憶される番組を選別することにより、ハードディスクの使用効率を改善することも予想される。
【特許文献１】特開２００３−３４８４７２号公報
【特許文献２】特開２００５−０７２８２６号公報
【特許文献３】特開２００５−１９２０６１号公報
【特許文献４】特開２００３−２４４５９９号公報
【発明の開示】
【発明が解決しようとする課題】
【０００３】
しかしながら、実際には、ユーザが所望するジャンルや嗜好に関する情報によりハードディスクに記憶される番組を選別することとすると、ユーザが所望するジャンルが多数ある場合にはハードディスクの使用効率を十分に改善することは難しい。また、ユーザが所望するジャンルや嗜好に関する情報だけでは、ユーザが本当に視聴したい番組かどうかを選別することは難しいという問題もある。
【０００４】
本発明の課題は、ユーザが所望する番組をより確実に保存するとともに、ハードディスクの使用効率を確実に改善することができるサーバ型放送受信装置を提供することである。
【課題を解決するための手段】
【０００５】
請求項１に記載の発明は、サーバ型の放送データを受信する放送データ受信手段と、
前記放送データ受信手段により受信された放送データを放送データ記憶手段に記憶させる放送データ記憶制御手段と、
前記放送データ受信手段により受信された放送データのうち予め設定された部分のデータを用いて番組の内容を紹介する紹介用放送データを作成する作成手段と、
番組の予定表である番組情報を受信する番組情報受信手段と、
前記番組情報受信手段により受信された番組の予定表である番組情報の番組名と、前記作成手段により作成された紹介用放送データとを対応付けたリストを作成するリスト作成手段と、
前記紹介用放送データと番組名とを対応付けたリストを記憶するリスト記憶手段と、
前記リスト記憶手段により記憶されたリストを表示装置に表示させるリスト表示制御手段と、
前記表示装置に表示されたリストにおいて、所望する番組の紹介用放送データを指定するための指定手段と、
前記指定手段により前記リストにおいて前記紹介用放送データが指定された場合に、当該紹介用放送データを再生装置に再生させる紹介用放送データ再生制御手段と、
前記リストにおいて、前記放送データ記憶手段に記憶させる番組を選択するための選択手段と、
前記リストに挙げる番組のジャンルを指定するためのジャンル指定手段と、
を備え、
前記放送データ記憶制御手段は、
前記放送データ受信手段により受信された放送データのうち、前記選択手段により選択された番組の放送データを前記放送データ記憶手段に記憶させ、
前記リスト作成手段は、
前記ジャンル指定手段によりジャンルが指定された場合には、指定されたジャンルの番組名と紹介用放送データとを対応付けたリストを作成することを特徴としている。
【０００６】
請求項２に記載の発明は、サーバ型受信装置において、サーバ型の放送データを受信する放送データ受信手段と、
前記放送データ受信手段により受信された放送データを放送データ記憶手段に記憶させる放送データ記憶制御手段と、
番組の内容を紹介する紹介用放送データと番組名とを対応付けたリストを記憶するリスト記憶手段と、
前記リスト記憶手段により記憶されたリストを表示装置に表示させるリスト表示制御手段と、
前記表示装置に表示されたリストにおいて、所望する番組の紹介用放送データを指定するための指定手段と、
前記指定手段により前記リストにおいて前記紹介用放送データが指定された場合に、当該紹介用放送データを再生装置に再生させる紹介用放送データ再生制御手段と、
前記リストにおいて、前記放送データ記憶手段に記憶させる番組を選択するための選択手段と、
を備え、
前記放送データ記憶制御手段は、
前記放送データ受信手段により受信された放送データのうち、前記選択手段により選択された番組の放送データを前記放送データ記憶手段に記憶させることを特徴としている。
【０００７】
請求項３に記載の発明は、請求項２に記載のサーバ型放送受信装置において、
前記放送データ受信手段により受信された放送データのうち予め設定された部分のデータを用いて紹介用放送データを作成する作成手段を備えることを特徴としている。
【０００８】
請求項４に記載の発明は、請求項３に記載のサーバ型放送受信装置において、
番組の予定表である番組情報を受信する番組情報受信手段と、
前記番組情報受信手段により受信された番組の予定表である番組情報の番組名と、前記作成手段により作成された紹介用放送データとを対応付けたリストを作成するリスト作成手段と、
を備えることを特徴としている。
【発明の効果】
【０００９】
請求項１に記載の発明によれば、放送データ受信手段により、サーバ型の放送データが受信され、放送データ記憶制御手段により、放送データ受信手段によって受信された放送データが放送データ記憶手段に記憶され、リスト記憶手段により、番組の内容を紹介する紹介用放送データと番組名とが対応付けられたリストが記憶され、リスト表示制御手段により、リスト記憶手段によって記憶されたリストが表示装置に表示され、指定手段により、表示装置に表示されたリストにおいて、所望する番組の紹介用放送データが指定され、紹介用放送データ再生制御手段により、指定手段によってリストにおいて紹介用放送データが指定された場合に、当該紹介用放送データが再生装置に再生され、選択手段により、リストにおいて、放送データ記憶手段に記憶させる番組が選択され、放送データ記憶制御手段は、放送データ受信手段により受信された放送データのうち、選択手段により選択された番組の放送データを放送データ記憶手段に記憶させるので、ユーザは、紹介用放送データを見て、本当に視聴したい番組かどうかを確認することができ、本当に視聴したい番組のみを放送データ記憶手段に記憶させることができることとなって、ユーザが所望する番組をより確実に保存するとともに、ハードディスクの使用効率を確実に改善することができる。
【００１０】
また、作成手段により、放送データ受信手段によって受信された放送データのうち予め設定された部分のデータを用いて紹介用放送データが作成されるので、放送データ受信手段により紹介用放送データが受信されない場合であっても、ユーザは紹介用放送データを見ることができる。
【００１１】
また、特に、番組情報受信手段により番組の予定表である番組情報が受信され、リスト作成手段により、番組情報受信手段によって受信された番組の予定表である番組情報の番組名と、作成手段によって作成された紹介用放送データとが対応付けられたリストが作成されるので、サーバに当該リストを作成する手段を設けなくとも、ユーザが当該リストにおいて視聴したい番組を選択することができる。
【００１２】
また、リスト作成手段は、ジャンル指定手段によりジャンルが指定された場合には、指定されたジャンルの番組名と紹介用放送データとを対応付けたリストを作成するので、リストに挙げる番組を必要なものに絞り込むことができることとなって、当該リストを見やすいものとすることができる。
【００１３】
請求項２に記載の発明によれば、放送データ受信手段により、サーバ型の放送データが受信され、放送データ記憶制御手段により、放送データ受信手段によって受信された放送データが放送データ記憶手段に記憶され、リスト記憶手段により、番組の内容を紹介する紹介用放送データと番組名とが対応付けられたリストが記憶され、リスト表示制御手段により、リスト記憶手段によって記憶されたリストが表示装置に表示され、指定手段により、表示装置に表示されたリストにおいて、所望する番組の紹介用放送データが指定され、紹介用放送データ再生制御手段により、指定手段によってリストにおいて紹介用放送データが指定された場合に、当該紹介用放送データが再生装置に再生され、選択手段により、リストにおいて、放送データ記憶手段に記憶させる番組が選択され、放送データ記憶制御手段は、放送データ受信手段により受信された放送データのうち、選択手段により選択された番組の放送データを放送データ記憶手段に記憶させるので、ユーザは、紹介用放送データを見て、本当に視聴したい番組かどうかを確認することができ、本当に視聴したい番組のみを放送データ記憶手段に記憶させることができることとなって、ユーザが所望する番組をより確実に保存するとともに、ハードディスクの使用効率を確実に改善することができる。
【００１４】
請求項３に記載の発明によれば、請求項２に記載の発明と同様の効果が得られるのは勿論のこと、特に、作成手段により、放送データ受信手段によって受信された放送データのうち予め設定された部分のデータを用いて紹介用放送データが作成されるので、放送データ受信手段により紹介用放送データが受信されない場合であっても、ユーザは紹介用放送データを見ることができる。
【００１５】
請求項４に記載の発明によれば、請求項３に記載の発明と同様の効果が得られるのは勿論のこと、特に、番組情報受信手段により番組の予定表である番組情報が受信され、リスト作成手段により、番組情報受信手段によって受信された番組の予定表である番組情報の番組名と、作成手段によって作成された紹介用放送データとが対応付けられたリストが作成されるので、サーバに当該リストを作成する手段を設けなくとも、ユーザが当該リストにおいて視聴したい番組を選択することができる。
【発明を実施するための最良の形態】
【００１６】
以下、図を参照して、本発明に係るサーバ型放送受信装置を実施するための最良の形態を詳細に説明する。
【００１７】
本発明に係るサーバ型放送受信装置１００は、例えば、図１に示すように、アンテナ１，チューナ部２，ＨＤＤ３，デコーダ４，入力部５，ＣＰＵ（Central  Processing  Unit）６，ＲＡＭ（Random  Access  Memory）７，記憶部８等を備えて構成され、出力装置２００と接続されている。
【００１８】
アンテナ１は、例えば、パラボラアンテナやＵＨＦアンテナ等であり、放送波を受信し、ＲＦ（Radio  Frequency）信号をチューナ部２に出力する。なお、ＣＡＴＶ回線を介して放送データを受信する場合には、アンテナ１の代わりに、接続ケーブル（図示省略）等が備えられてもよい。ここで、放送波には、番組の放送データと当該番組の内容を紹介する紹介用放送データとを含んでおり、アンテナ１は、放送波を受信することにより放送データ受信手段として機能する。また、放送波には、番組の予定表である番組情報も含まれており、アンテナ１は、放送波を受信することにより番組情報受信手段として機能する。
【００１９】
チューナ部２は、例えば、ミキサ（図示省略），選局回路（図示省略），Ａ／Ｄ変換回路（図示省略）等を備えて構成され、ミキサ，選局回路等により、アンテナ１から入力されたＲＦ信号がユーザが所望するチャンネルのＩＦ（Intermediate  Frequency）信号に変換され、Ａ／Ｄ変換回路により、生成されたＩＦ信号がデジタルデータに変換される。
【００２０】
ＨＤＤ３は、例えば、磁気的記録媒体等を備えて構成され、ＣＰＵ６が後述する放送データ記憶プログラム８Ｈを実行することに基づいて放送データを記憶する。これにより、ＨＤＤ３は、放送データ記憶手段として機能する。
【００２１】
デコーダ４は、例えば、チューナ部２又はＨＤＤ３から入力されるデジタルデータに復号処理等を行って放送データ，紹介用放送データ，番組情報を生成し、出力装置２００に出力する。
【００２２】
入力部５は、例えば、各種の操作信号を入力するための各種のキー等を備え、ユーザにより操作されることによって、各種の操作信号をＣＰＵ６に出力する。
より具体的には、入力部５は、ユーザにより操作されることによって、例えば、表示部９に表示されたリストＲ（後述）において所望する番組の紹介用放送データを指定する操作信号をＣＰＵ６に出力する。これにより、入力部５は、指定手段として機能する。
また、入力部５は、ユーザにより操作されることによって、例えば、表示部９に表示されたリストＲにおいて、ＨＤＤ３に記憶させる番組を選択する操作信号をＣＰＵ６に出力する。これにより、入力部５は、選択手段として機能する。
また、入力部５は、ユーザにより操作されることによって、例えば、表示部９に表示されるリストＲに挙げられる番組のジャンルを指定するための操作信号をＣＰＵ６に出力する。これにより、入力部５は、ジャンル指定手段として機能する。
【００２３】
ＣＰＵ６は、記憶部８に格納された処理プログラム等を読み出して、ＲＡＭ７に展開して実行することにより、サーバ型放送受信装置１００全体の制御を行う。
【００２４】
ＲＡＭ７は、ＣＰＵ６により実行された処理プログラム等を、ＲＡＭ７内のプログラム格納領域に展開するとともに、入力データや上記処理プログラムが実行される際に生じる処理結果等をデータ格納領域に格納する。
【００２５】
記憶部８は、例えば、プログラムやデータ等が予め記憶されている記録媒体（図示せず）を有しており、この記録媒体は、例えば、半導体メモリ等で構成されている。また、記憶部８は、ＣＰＵ６がサーバ型放送受信装置１００全体を制御する機能を実現させるための各種データ，各種処理プログラム，これらプログラムの実行により処理されたデータ等を記憶する。より具体的には、記憶部８は、例えば、図１に示すように、ＥＰＧデータファイル８Ａ，リストデータファイル８Ｂ，予約データファイル８Ｃ，リスト作成プログラム８Ｄ，リスト表示制御プログラム８Ｅ，紹介用放送データ再生プログラム８Ｆ，予約リスト作成プログラム８Ｇ，放送データ記憶プログラム８Ｈ等を格納している。
【００２６】
ＥＰＧデータファイル８Ａは、例えば、アンテナ１より受信される番組の予定表である番組情報としてのＥＰＧデータを記憶している。ＥＰＧデータは、例えば、番組名，放送時間，放送チャンネル，ジャンル，出演者などの情報を含んでおり、また、紹介用放送データも当該ＥＰＧデータに含まれていてもよい。
【００２７】
リストデータファイル８Ｂは、例えば、ＣＰＵ６が後述するリスト作成プログラム８Ｄを実行することにより作成したリストＲのデータを記憶している。記憶部８は、リストデータファイル８Ｂを格納することにより、リスト記憶手段として機能する。
【００２８】
予約データファイル８Ｃは、例えば、ＣＰＵ６が後述する予約リスト作成プログラム８Ｇを実行することにより作成した予約リストのデータを記憶している。
【００２９】
リスト作成プログラム８Ｄは、例えば、ＣＰＵ６に、アンテナ１により受信される紹介用放送データと番組名とを対応付けたリストＲを作成する機能を実現させるプログラムである。より具体的には、リスト作成プログラム８Ｄは、アンテナ１によりＥＰＧデータが受信された場合に、当該ＥＰＧデータとＥＰＧデータファイル８Ａに記憶されたＥＰＧデータとを比較することにより、新しい番組があるか否かを判断し、新しい番組があると判断した場合に、当該新しい番組の紹介用放送データと番組名とを対応付けたリストＲを作成し、リストデータファイル８Ｂに記憶する機能を実現させるプログラムである。
また、リスト作成プログラム８Ｄは、ＣＰＵ６に、アンテナ１により新しい番組の紹介用放送データが受信されているか否かを判断し、紹介用放送データが受信されていないと判断した場合に、アンテナ１により受信される当該番組の放送データの予め設定された部分のデータを紹介用放送データとして作成する機能を実現させるプログラムである。ここで、放送データの予め設定された部分のデータとは、当該番組の放送データの最初から所定量のデータであってもよいし、ユーザにより設定された部分のデータ（例えば、１０分間隔で１０秒づつ取得したデータ）であってもよい。
また、リスト作成プログラム８Ｄは、ＣＰＵ６に、ユーザが入力部５を操作することによってジャンルを指定する操作信号が入力された場合に、当該ジャンルに該当する番組名と紹介用放送データとを対応付けたリストＲを作成する機能を実現させるプログラムである。
ＣＰＵ６は、かかるリスト作成プログラム８Ｄを実行することにより、リスト作成手段，作成手段として機能する。
【００３０】
リスト表示制御プログラム８Ｅは、例えば、ＣＰＵ６に、リストデータファイル８Ｂに記憶されたリストＲを出力装置２００の表示部９に表示させる機能を実現させるプログラムである。図２に、ＣＰＵ６がリスト表示制御プログラム８Ｅを実行することにより、表示部９に表示させたリストＲの一例を示す。リストＲには、例えば、図２に示すように、紹介用放送データを再生させるための映像ボタンＢ１と番組名ボタンＢ２とが対応付けられており、また、各番組名ボタンＢ２毎に、あらすじＡ１，当該番組の所要時間Ａ２，ＨＤＤ使用容量Ａ３，ダウンロードするか否かを示すチェックボタンＢ３，決定ボタンＢ４等が対応付けられている。また、リストＲにおいて、ＨＤＤ使用容量Ａ３は、例えば、画質Ｈｉｇｈ，画質Ｍｉｄ，画質Ｌｏｗ等の画質毎に、ＨＤＤ３の残容量（残量）に対して使用する容量の割合により示されている。ＣＰＵ６は、かかるリスト表示制御プログラム８Ｅを実行することにより、リスト表示制御手段として機能する。
【００３１】
紹介用放送データ再生プログラム８Ｆは、例えば、ＣＰＵ６に、表示部９に表示されたリストＲにおいて、ユーザが入力部５を操作することにより、映像ボタンＢ１が選択された場合に、当該映像ボタンＢ１に対応付けられた紹介用放送データを出力装置２００に再生させる機能を実現させるプログラムである。ＣＰＵ６は、かかる紹介用放送データ再生プログラム８Ｆを実行することにより、紹介用放送データ再生制御手段として機能する。
【００３２】
予約リスト作成プログラム８Ｇは、例えば、ＣＰＵ６に、表示部９に表示されたリストＲにおいて、ユーザが入力部５を操作することにより、ＨＤＤ３に記憶させる放送データの番組名ボタンＢ２が選択された場合に、当該番組の放送データをＨＤＤ３に記憶する放送データとして予約データファイル８Ｃに記憶する機能を実現させるプログラムである。より具体的には、予約リスト作成プログラム８Ｇは、例えば、ＣＰＵ６に、表示部９に表示されたリストＲにおいて、ユーザが入力部５を操作することにより、ＨＤＤ３に記憶させる放送データとして選択された番組名と、ＥＰＧデータファイル８Ａから抽出した当該番組のチャンネル，放送開始時間，放送終了時間とを、対応付けた予約リストを作成し、当該予約リストのデータを予約データファイル８Ｃに記憶する機能を実現させるプログラムである。
【００３３】
放送データ記憶プログラム８Ｈは、例えば、ＣＰＵ６に、表示部９に表示されたリストＲにおいて、ユーザが入力部５を操作することにより、ＨＤＤ３に記憶させる放送データとして選択された番組の放送データをＨＤＤ３に記憶する機能を実現させるプログラムである。より具体的には、放送データ記憶プログラム８Ｈは、ＣＰＵ６に、予約データファイル８Ｃを参照して、予約リストに挙げられたチャンネル，放送開始時間，放送終了時間を抽出し、当該放送開始時間に、当該チャンネルの放送データのＨＤＤ３への記憶を開始し、当該放送終了時間に、当該放送データのＨＤＤ３への記憶を終了する機能を実現させるプログラムである。ＣＰＵ６は、かかる放送データ記憶プログラム８Ｈを実行することにより、放送データ記憶制御手段として機能する。
【００３４】
出力装置２００は、例えば、図１に示すように、表示部９，音出力部１０等を備えて構成され、デコーダ４から出力されるビデオデータ，オーディオデータに基づく映像，音声を表示部９，音出力部１０に出力させる。
より具体的には、出力装置２００は、ＣＰＵ６がリスト表示制御プログラム８Ｅを実行することにより制御されて、紹介用放送データと番組名とが対応付けられたリストＲを表示部９に表示させる。これにより、出力装置２００は表示装置として機能する。
また、出力装置２００は、ＣＰＵ６が紹介用放送データ再生プログラム８Ｆを実行することにより制御されて紹介用放送データに基づく映像及び音声を表示部９及び音出力部１０に出力させる。これにより、出力装置２００は再生装置として機能する。
【００３５】
次に、上述のような構成のサーバ型放送受信装置１００のリスト作成動作について、図３に示すフローチャートを参照しながら説明する。
まず、アンテナ１がＥＰＧデータを受信すると（ステップＳ１）、ＣＰＵ６は、リスト作成プログラム８Ｄを実行することにより、当該ＥＰＧデータとＥＰＧデータファイル８Ａに記憶されたＥＰＧデータとを比較して、新しい番組があるか否かを判断する（ステップＳ２）。
【００３６】
ステップＳ２において、ＣＰＵ６が、新しい番組がないと判断した場合には（ステップＳ２；Ｎｏ）、ステップＳ１に戻る。
ステップＳ２において、ＣＰＵ６が、新しい番組があると判断した場合には（ステップＳ２；Ｙｅｓ）、ＣＰＵ６は、アンテナ１により、当該新しい番組の紹介用放送データが受信されているか否かを判断する（ステップＳ３）。
【００３７】
ステップＳ３において、ＣＰＵ６が、当該新しい番組の紹介用放送データが受信されていないと判断した場合には（ステップＳ３；Ｎｏ）、ＣＰＵ６は、アンテナ１により当該新しい番組の放送データが受信されたか否かを判断する（ステップＳ４）。
ステップＳ４において、ＣＰＵ６が、アンテナ１により当該新しい番組の放送データが受信されていないと判断した場合には（ステップＳ４；Ｎｏ）、ステップＳ４の処理を繰り返す。
ステップＳ４において、ＣＰＵ６が、アンテナ１により当該新しい番組の放送データが受信されたと判断した場合には（ステップＳ４；Ｙｅｓ）、ＣＰＵ６は、アンテナ１により受信される当該新しい番組の放送データの予め設定された部分のデータを紹介用放送データとして作成し（ステップＳ５）、ステップＳ６に進む。
【００３８】
ステップＳ３において、ＣＰＵ６が、当該新しい番組の紹介用放送データが受信されていると判断した場合には（ステップＳ３；Ｙｅｓ）、ＣＰＵ６は、当該紹介用放送データと番組名とを対応付けたリストＲを作成し（ステップＳ６）、本処理を終了する。
【００３９】
次に、本実施形態に係るサーバ型放送受信装置１００の予約動作について、図４に示すフローチャートを参照しながら説明する。
まず、ユーザが入力部５を操作することにより、リストＲを表示する操作信号が入力されると、ＣＰＵ６は、リスト表示制御プログラム８Ｅを実行することにより、出力装置２００の表示部９に、例えば、図２に示すようなリストＲを表示させる（ステップＳ１０１）。
【００４０】
次に、ＣＰＵ６は、ユーザが入力部５を操作し、例えば、図２に示すリストＲにおいて映像ボタンＢ１を選択することにより、紹介用放送データの再生を指示する操作信号が入力されたか否かを判断する（ステップＳ１０２）。
【００４１】
ステップＳ１０２において、ＣＰＵ６が、紹介用放送データの再生を指示する操作信号が入力されていないと判断した場合には（ステップＳ１０２；Ｎｏ）、ステップＳ１０４に進む。
ステップＳ１０２において、ＣＰＵ６が、紹介用放送データの再生を指示する操作信号が入力されたと判断した場合には（ステップＳ１０２；Ｙｅｓ）、ＣＰＵ６は、紹介用放送データ再生プログラム８Ｆを実行することにより、ステップＳ１０２において選択された紹介用放送データを出力装置２００に再生させる（ステップＳ１０３）。
【００４２】
次に、ＣＰＵ６は、ユーザが入力部５を操作し、例えば、図２に示すリストＲにいて番組名ボタンＢ２を選択してチェックボタンＢ３をＯＮとし、決定ボタンＢ４を選択することにより、保存する番組を選択する操作信号が入力されたか否かを判断する（ステップＳ１０４）。
【００４３】
ステップＳ１０４において、ＣＰＵ６が、保存する番組を選択する操作信号が入力されていないと判断した場合には（ステップＳ１０４；Ｎｏ）、ステップＳ１０２に戻る。
ステップＳ１０４において、ＣＰＵ６が、保存する番組を選択する操作信号が入力されたと判断した場合には（ステップＳ１０４；Ｙｅｓ）、ＣＰＵ６は、予約リスト作成プログラム８Ｇを実行することにより、ＨＤＤ３に記憶させる放送データとして選択された番組名と、ＥＰＧデータファイル８Ａから抽出した当該番組のチャンネル，放送開始時間，放送終了時間とを、対応付けた予約リストを作成し、当該予約リストのデータを予約データファイル８Ｃに記憶し（ステップＳ１０５）、本処理を終了する。
【００４４】
次に、本実施形態に係るサーバ型放送受信装置１００の放送データの記憶動作について、図５に示すフローチャートを参照しながら説明する。
まず、ＣＰＵ６は、放送データ記憶プログラム８Ｈを実行することにより、予約データファイル８Ｃを参照し、予約リストに挙げられたチャンネル，放送開始時間，放送終了時間を抽出する（ステップＳ２０１）。
次に、ＣＰＵ６は、当該放送開始時間に、当該チャンネルの放送データのＨＤＤ３への記憶を開始し、当該放送終了時間に、当該放送データのＨＤＤ３への記憶を終了することにより、リストＲにおいて、ユーザがＨＤＤ３に記憶させる放送データとして選択した番組の放送データをＨＤＤ３に記憶する（ステップＳ２０２）。
【００４５】
以上に説明した本発明に係るサーバ型放送受信装置１００によれば、アンテナ１により、サーバ型の放送データが受信され、ＣＰＵ６が放送データ記憶プログラム８Ｈを実行することにより、アンテナ１によって受信された放送データがＨＤＤ３に記憶され、リストデータファイル８Ｂにより、番組の内容を紹介する紹介用放送データと番組名とが対応付けられたリストＲが記憶され、ＣＰＵ６がリスト表示制御プログラム８Ｅを実行することにより、リストデータファイル８Ｂに記憶されたリストＲが出力装置２００の表示部９に表示され、ユーザによって入力部５が操作されることにより、表示部９に表示されたリストＲにおいて、所望する番組の紹介用放送データが指定され、ＣＰＵ６が紹介用放送データ再生プログラム８Ｆを実行することにより、リストＲにおいて紹介用放送データが指定された場合に、当該紹介用放送データが出力装置２００に再生され、ユーザが入力部５を操作することにより、リストＲにおいて、ＨＤＤ３に記憶させる番組が選択され、ＣＰＵ６は、放送データ記憶プログラム８Ｈを実行することにより、アンテナ１により受信された放送データのうち、選択された番組の放送データをＨＤＤ３に記憶させるので、ユーザは、紹介用放送データを見て、本当に視聴したい番組かどうかを確認することができ、本当に視聴したい番組のみをＨＤＤ３に記憶させることができることとなって、ユーザが所望する番組をより確実に保存するとともに、ハードディスクの使用効率を確実に改善することができる。
【００４６】
また、ＣＰＵ６がリスト作成プログラム８Ｄを実行することにより、アンテナ１によって受信された放送データのうち予め設定された部分のデータを用いて紹介用放送データが作成されるので、アンテナ１により紹介用放送データが受信されない場合であっても、ユーザは紹介用放送データを見ることができる。
【００４７】
また、アンテナ１により番組の予定表である番組情報が受信され、ＣＰＵ６がリスト作成プログラム８Ｄを実行することにより、受信された番組情報の番組名と、紹介用放送データとが対応付けられたリストＲが作成されるので、サーバに当該リストＲを作成する手段を設けなくとも、ユーザが当該リストＲにおいて視聴したい番組を選択することができる。
【００４８】
また、ＣＰＵ６は、リスト作成プログラム８Ｄを実行することにより、ユーザが入力部５を操作することによりジャンルが指定された場合には、指定されたジャンルの番組名と紹介用放送データとを対応付けたリストＲを作成するので、リストＲに挙げる番組を必要なものに絞り込むことができることとなって、当該リストＲを見やすいものとすることができる。
【００４９】
なお、予約動作におけるステップＳ１０１のリストＲを表示させるタイミングは、本実施形態に限定されるものではなく、例えば、前回リストＲを表示部９に表示させてから所定時間経過後に強制的にリストＲを表示部９に表示させてもよいし、新しい番組が入ったリストＲが作成された際に強制的に当該リストＲを表示部９に表示させてもよい。
また、番組の放送データ及び紹介用放送データ及び番組情報は、他の方法でサーバ型放送受信装置１００に送信されてもよく、例えば、インターネット等によりサーバ型放送受信装置１００に送信されてもよい。また、例えば、一定期間分の番組の内容を紹介する紹介用放送データと番組名とを対応付けたリストを記憶した記憶媒体（例えば、ＤＶＤなど）を取得して、これをリスト記憶手段として用いてもよい。
【図面の簡単な説明】
【００５０】
【図１】本発明に係るサーバ型放送受信装置及び出力装置の構成を示すブロック図である。
【図２】本発明に係るリストを示す図である。
【図３】本発明に係るサーバ型放送受信装置のリスト作成動作を示すフローチャートである。
【図４】本発明に係るサーバ型放送受信装置の予約動作を示すフローチャートである。
【図５】本発明に係るサーバ型放送受信装置の放送データの記憶動作を示すフローチャートである。
【符号の説明】
【００５１】
１  アンテナ（放送データ受信手段，番組情報受信手段）
３  ＨＤＤ（放送データ記憶手段）
５  入力部（指定手段，選択手段，ジャンル指定手段）
６  ＣＰＵ（リスト作成手段，作成手段，リスト表示制御手段，紹介用放送データ再生制御手段，放送データ記憶制御手段）
８  記憶部（リスト記憶手段）
８Ｂ  リストデータファイル（リスト記憶手段）
８Ｄ  リスト作成プログラム（リスト作成手段，作成手段）
８Ｅ  リスト表示制御プログラム（リスト表示制御手段）
８Ｆ  紹介用放送データ再生プログラム（紹介用放送データ再生制御手段）
８Ｈ  放送データ記憶プログラム（放送データ記憶制御手段）
１００  サーバ型放送受信装置
２００  出力装置（表示装置，再生装置）
【図１】
2007214668.tif 000003
【図２】
2007214668.tif 000004
【図３】
2007214668.tif 000005
【図４】
2007214668.tif 000006
【図５】
2007214668.tif 000007